(57)【特許請求の範囲】
【請求項１】
基部ユニットと、
前記基部ユニットに係合し、光を発するための少なくとも１つの光源を有する、光出射ユニットと、
前記発せられた光の方向を調節するための、前記基部ユニット及び前記光出射ユニットに対して傾斜可能であり且つ可動に配置されたコリメータユニットと、
を有する発光装置であって、前記光出射ユニットは、前記光源から発せられる出射光のための光出射部を有し、前記コリメータユニットは前記光出射部を囲むように配置され、前記コリメータユニット、前記基部ユニット及び前記光出射ユニットは、合わせて前記発光装置の垂直軸のまわりに回転可能であり、前記コリメータユニットの傾斜は、前記発光装置の垂直軸に垂直な軸のまわりの回転による、発光装置。
【請求項２】
前記光出射部は前記基部ユニットから離隔された、請求項１に記載の発光装置。
【請求項３】
前記コリメータユニットは、前記光出射ユニット及び前記基部ユニットに対して傾斜可能に構成され、前記コリメータユニット、前記基部ユニット及び前記光出射ユニットは合わせて回転可能に構成された、請求項１又は２に記載の発光装置。
【請求項４】
前記コリメータユニットは、先端を切り取られた円錐形、円筒形、四角錐形及び三角錐形のうちの１つである、請求項１乃至３のいずれか一項に記載の発光装置。
【請求項５】
前記基部ユニットは、前記少なくとも１つの光源から熱を消散させるように構成されたヒートシンクを有する、請求項１乃至４のいずれか一項に記載の発光装置。
【請求項６】
前記光出射ユニットは更に、前記少なくとも１つの光源に配置された第１の端部と、前記光出射部を形成する第２の端部と、を持つ光混合ロッドを有する、請求項１乃至５のいずれか一項に記載の発光装置。
【請求項７】
前記第２の端部は、円錐形、四角錐形及び切子面を持つ立体のうちの１つとなるように構成された、請求項６に記載の発光装置。
【請求項８】
前記少なくとも１つの光源が配置される光源固定具を更に有し、前記光源固定具は前記光出射部を形成するように構成された、請求項１乃至５のいずれか一項に記載の発光装置。
【請求項９】
複数の前記光源が、前記光源固定具に回転対称に配置された、請求項８に記載の発光装置。
【請求項１０】
複数の前記光源が、前記光源固定具の表面を少なくとも一部をカバーするように構成され、前記光源固定具は、球形、四角錐形、直方体及び円錐形のうちの１つの形状を持つように構成された、請求項８に記載の発光装置。
【請求項１１】
前記可動に配置されたコリメータユニットは、前記コリメータユニットの動きのための所定の経路を提供する開口を有し、前記コリメータユニットの動きのための所定の経路は任意に非対称である、請求項１乃至１０のいずれか一項に記載の発光装置。
【請求項１２】
前記基部ユニットに配置された反射器を更に有する、請求項１１に記載の発光装置。
【請求項１３】
前記コリメータユニットの動き、前記発光装置からの光の量、若しくは前記光の色、又はこれらの組み合わせを制御するための制御ユニットを更に有する、請求項１乃至１２のいずれか一項に記載の発光装置。
【請求項１４】
請求項１乃至１３のいずれか一項に記載の発光装置を少なくとも１つ有する照明器具又はランプ。
【発明の詳細な説明】
【技術分野】
【０００１】
本発明は照明に関し、更に詳細には、発光装置であって該発光装置から発せられる光の出射方向を調節するための可動式コリメータユニットを持つ発光装置に関する。
【背景技術】
【０００２】
発せられる光の調節可能な方向を持つ埋め込み型の天井のスポットは、店内、映画館、ギャラリー等における照明用途に一般的に利用されている。一般に、従来の白熱ランプ又はＣＤＭランプ即ち通常の石英型の代わりにセラミック放電管を利用するメタルハライドランプが、斯かる発光装置における光源として利用される。これらのタイプの光源は、該装置から発せられる光の方向を調節可能とするためには、かさばり且つ重い機構的部分を必要とする。光の方向の調節は一般に、発光装置全体の傾斜及び回転により実現される。更に最近は、発光ダイオード（ＬＥＤ）が照明用途の斯かる分野に導入されてきた。光源としてＬＥＤを用いる場合には、以上に説明したものと同様の問題が生じる。ＬＥＤは、比較的大きくかさばるヒートシンクを用いて実現されることが多い冷却を必要とする。
【０００３】
米国特許出願公開US2008/0089085A1は、調節可能な光路方向を持つ自動車のためのヘッドランプを開示している。利用される光源は、該ヘッドランプの筐体の一部を形成するヒートシンクに装着されたＬＥＤを有する。斯くして、該光源は該筐体内に配置される。更に、可動式の反射器が該光源から離して配置され、これにより該光源から発せられる光の少なくとも一部がレンズに向けて反射され、該レンズを通って該装置から光が出射される。
【発明の概要】
【発明が解決しようとする課題】
【０００４】
本発明の目的は、先行技術の上述した欠点を少なくとも軽減する発光装置を提供することにある。
【課題を解決するための手段】
【０００５】
本目的は、請求項１及び１５に記載の本発明による発光装置及び照明器具により達成される。
【０００６】
斯くして、本発明の一態様によれば、基部ユニットと、前記基部ユニットに係合し、光を発するための少なくとも１つの光源を有する、光出射ユニットと、前記発せられた光の方向を調節するための、可動に配置されたコリメータユニットと、を有する発光装置が提供される。前記光出射ユニットは、前記光源から発せられる出射光のための光出射部を有する。更に、前記コリメータユニットは前記光出射部を囲むように配置される。
【０００７】
斯くして、光出射ユニットに配置された光出射部を囲む可動に配置されたコリメータユニットを持つ発光装置が提供される。斯くして、光出射部から出射される略全ての光がコリメータユニットに直接に照射され、これにより高い光出射量を可能とする。該コリメータユニットは光を平行にし、所望の光ビーム方向に依存して、可動に配置されたコリメータユニットがそれに応じて調節される。一方、光出射部の位置は、固定されたまま保たれる。本発明の概念によれば、光ビーム方向の角度の高い柔軟性が提供される。該コリメータユニットは、光出射部において出射される光線が、限られた回数だけ、好適には０回又は１回だけ、該コリメータに当たるように構成されても良い。本発明は更に、単純な機構的な構成を提供し、該発光装置から出射された光の方向の調節のための小型で、軽量の且つ安価な方法を提供する。加えて、該発光装置を封止するための筐体が必要とされない。更に、設定された位置又は向きにおいて冷却手段を持つことが有利となり得る。なぜなら、該装置のまわりの空気の流れが常に同じ方向に向けられるため、冷却が効果的に為され得るからである。該少なくとも１つの光源は、発光ダイオード、レーザ、ＣＤＭ及び白熱灯のうちの１つであっても良い。
【０００８】
該発光装置の一実施例によれば、前記光出射部は前記基部から離隔される。斯くして、光出射部は有利にも埋め込まれ、又は更には例えば天井若しくは壁に完全に組み込まれ、その一方で可動部及び光出射部は該天井若しくは壁の外に配置される。このことは、保守のための光出射部への優れたアクセス可能性を提供する。該光出射部は依然として、照明ユニットを介して基部ユニットに接続される。基部に完全に組み込まれる場合には、区画壁は光出射ユニットのための適切な開口を備える必要がある。
【０００９】
該発光装置の一実施例によれば、前記コリメータユニットは、前記光出射ユニット及び前記基部ユニットに対して傾斜可能に構成される。更に、前記コリメータユニット、前記基部ユニット及び前記光出射ユニットは合わせて回転可能に構成される。このことは、光出射部が、依然として可動に配置されたコリメータ内の同じ位置を持ちつつ、該組み合わせに対して垂直軸のまわりに回転させられることを可能とする。垂直軸のまわりに回転可能に基部ユニットを配置することは、基部ユニットと光出射ユニットとの間の傾斜機構のみしか必要とされないため、有利である。光出射部の構成に依存して、該垂直軸のまわりの回転は、コリメータユニットの光平行化に加えて、最終的に出射される光の分布の外観に僅かに影響を与え、及び／又は光ビームの方向を設定し得る。
【００１０】
該発光装置の一実施例によれば、前記コリメータユニットは、先端を切り取られた円錐形、円筒形、四角形及び三角形のうちの１つである。コリメータユニットの形状は有利にも、出射される光についての光ビームの外観、又は光角度分布に影響を与えるように構成され得る。
【００１１】
該発光装置の一実施例によれば、前記基部ユニットは、前記少なくとも１つの光源から熱を消散させるように構成されたヒートシンクを有する。
【００１２】
該発光装置の一実施例によれば、前記光出射ユニットは更に、前記少なくとも１つの光源に配置された第１の端部と、前記光出射部を形成する第２の端部と、を持つ混合ロッドを有する。この構成によれば、光源がヒートシンク上に直接に配置され得、斯くして光源の冷却の効率を増大させる。また、光出射部が光源から離されたまま保たれるため、光出射が熱源（光源）から離隔されるために、ユーザが発光装置によってやけどするリスクが減少する。複数の色を発する光源を利用する場合、又は平滑な光出射プロファイルが望ましい場合には、光混合ロッドが更に有利である。
【００１３】
該発光装置の一実施例によれば、前記第２の端部は、円錐形、四角錐形及び切子面のある形のうちの１つとなるように構成される。斯くして、光出射面からの光は、単に平坦な端面からではなく、垂直な側面から光混合ロッドを離れる。このことは、光出射面からの光強度分布の拡大をもたらし、コリメータユニットの内面に当たる光の量を著しく増大させ、即ちコリメータユニットに当たることなく直接に発光装置を出る光が少なくなる。その結果、コリメータユニットの長さが短縮され得る。
【００１４】
該発光装置の一実施例によれば、該装置は更に、前記少なくとも１つの光源が配置される光源固定具を有する。更に、前記光源固定具は前記光出射部を形成するように構成される。光源固定具は光源の種々の構成を可能とし、有利である。
【００１５】
該発光装置の一実施例によれば、複数の前記光源が、前記光源固定具に回転対称に配置され、全ての方向に同等な光分布をもたらすために有利である。
【００１６】
該発光装置の一実施例によれば、複数の前記光源が、前記光源固定具の表面を少なくとも一部をカバーするように構成され、前記光源固定具は、球形、四角錐形、長方形及び円錐形のうちの１つの形状を持つように構成される。
【００１７】
該発光装置の一実施例によれば、前記可動に配置されたコリメータユニットは、前記コリメータユニットの動きのための所定の経路を提供する開口を有し、前記コリメータユニットの動きのための所定の経路は任意に非対称である。
【００１８】
該発光装置の一実施例によれば、該発光装置は更に、前記基部ユニットに配置された反射器を有する。このことは、コリメータユニットの開口を通る迷光を反射させ、ランプ／照明器具の外観を改善するために有利である。
【００１９】
該発光装置の一実施例によれば、該発光装置は更に、前記コリメータユニットの動き、前記発光装置からの光の量、若しくは前記光の色、又はこれらの組み合わせを制御するための制御ユニットを有する。
【００２０】
代替実施例においては、該基部ユニットは複数の光出射ユニットに共通であっても良い。
【００２１】
該発光装置の一実施例によれば、前記基部ユニットは、前記発せられた光の方向を調節するために、前記コリメータユニットの動きの間シフトされるように構成される。該基部ユニットの位置のシフトは、光が装置を出射するコリメータユニットの領域のシフトを相殺するために為される。当該領域は光出射領域と呼ばれ、典型的には、コリメータユニットが例えばコリメータユニットを傾斜させることにより発せられる光の方向を調節するために動かされる場合には、該コリメータユニットの外縁により定義され、該コリメータユニットの光出射領域のシフトは、該コリメータユニットに対して基部を同時にシフトさせることにより相殺され得、それにより、光の方向の調節の間の出射領域のシフトの全体の大きさは減少させられるか又は完全に相殺される。このとき、光出射の元の固定された位置を持ちつつ、出射光の方向は変更され得る。このことはまた、例えば天井における凹部に該発光装置を任意に配置する場合に、有利である。光出射領域のシフトが減少させられると該凹部が減少させられ、該発光装置はより好適に表面に埋め込まれる
【００２２】
本発明の第２の態様によれば、本発明の概念による少なくとも１つの発光装置を有する照明器具が提供される。
【００２３】
本発明のこれらの及び他の態様、特徴及び利点は、以下に記載される実施例を参照しながら説明され明らかとなるであろう。
【００２４】
本発明は、添付図面を参照しながら、以下に詳細に説明される。
【図面の簡単な説明】
【００２５】
【図１（ａ）】本発明による発光装置の実施例の模式的な断面図を示す。
【図１（ｂ）】本発明による発光装置の実施例の模式的な断面図を示す。
【図２（ａ）】本発明による発光装置の実施例の模式的な断面図を示す。
【図２（ｂ）】本発明による発光装置の実施例の模式的な断面図を示す。
【図３（ａ）】本発明による発光装置の実施例の模式的な断面図を示す。
【図３（ｂ）】本発明による発光装置の実施例の模式的な断面図を示す。
【図４（ａ）】本発明による発光装置の実施例の模式的な断面図を示す。
【図４（ｂ）】本発明による発光装置の実施例における光源固定具の模式的な斜視図を示す。
【図４（ｃ）】本発明による発光装置の実施例における光源固定具の模式的な斜視図を示す。
【図４（ｄ）】本発明による発光装置の実施例における光源固定具の模式的な斜視図を示す。
【図５（ａ）】本発明による発光装置の実施例の模式的な断面図を示す。
【図５（ｂ）】本発明による発光装置の実施例の模式的な断面図を示す。
【図６（ａ）】本発明による発光装置の実施例についての光強度分布を示す。
【図６（ｂ）】本発明による発光装置の実施例についての光強度分布を示す。
【発明を実施するための形態】
【００２６】
本発明の実施例が、添付図面を参照しながら、より完全に以下に説明され、ここでは本発明の特定の実施例が示されている。しかしながら本発明は、多くの異なる形態で実施されることができ、ここで開示される実施例に限定されるものと解釈されるべきではない。これら実施例は、本開示が完全なものとなり、本発明の概念を当業者に十分に伝えるための、例として示されるものである。本明細書を通じ、同様の番号は同様の要素を指す。
【００２７】
図１ａは、本発明による発光装置の実施例の模式的な断面図を示す。
【００２８】
発光装置１００は、基部ユニット１１０、基部ユニット１１０に係合する第１の端部と反対側の端部において光出射面１２５とを有する光出射ユニット１２０、及び光出射面１２５から出射される光を受けて該光の方向を調節するように構成された可動に配置されたコリメータユニット１３０ａを有する。光は該コリメータユニットの光出射領域を介して該発光装置から出射され、該領域は典型的には該コリメータユニットの外縁により定義される。
【００２９】
光出射ユニット１２０は、光源１２１を有する。該光源は、本例においてはＬＥＤであるが、レーザ、白熱ランプ又はＣＤＭのようないずれの適切な光源も本発明の概念内で適用可能であり、本発明の範囲内であるとみなされる。該光源は、光出射ユニット１２０内のどこに配置されても良い。しかしながら、上述したように、光源１２１から発せられる光は、光出射面１２５を介して光出射ユニット１２０から出射される。
【００３０】
コリメータユニット１３０は典型的には、湾曲した反射面のような、何らかのタイプの可動に配置されたコリメータユニットである。しかしながら、該コリメータユニットは、光出射ユニット１２０から出射される光を受けて該光の方向を調節するように構成された、可動に配置された導光部、レンズ、又は光学要素の組み合わせにより実現されても良い。コリメータユニット１３０ａは、図１の実施例においては、一方の端部において少なくとも大部分が閉じられた中空の円筒である。更に、該コリメータユニットは他方の端部において開いており、光出射領域を定義している。閉じた端部においては、ここではスリット１２９を有する調節素子が配置され、コリメータユニット１３０ａが光出射面１２５を囲むように、光出射ユニット１２０の一部が該スリットを通過する。スリット１２９は更に、コリメータユニット１３０ａの枢動調節を可能とする。コリメータユニット１３０ａは更に、光出射ユニットにおいて枢動可能に配置され、該枢動はスリット１２９によりガイドされる。スリット１２９は、他の実施例においては、例えば円形のような他の形状の開口であっても良い。実際の枢動、又は回転点は、構成に依存する。調節素子は、例えば機構的抵抗、ギアボックス、ステッパ又はサーボモータ（コンピュータ駆動）によって、コリメータユニットを調節された方向に固定するための手段を有することも、留意されるべきである。調節素子の後者の例においては、コリメータユニットの動きを制御し、発光装置から発せられる光の方向を調節するために、制御ユニットが利用される。更に、該制御ユニットは、該装置の光の量、光の色、動作時間、又はこれらの組み合わせを制御するためのドライバと組み合わせて構成されても良い。幾つかの発光装置が、１つの照明システムにおいて有利に駆動され制御されても良い。
【００３１】
以上に説明されたように、コリメータユニットの機能は、光出射ユニット１２０からの光を受けて該光を平行化することであり、該コリメータユニットは調節可能であるから、該装置から出射される光ビームの方向が、所望の方向へと制御されることができる。
【００３２】
該発光装置の代替実施例においては、調節素子が、以上に説明された一方向における枢動に加えて、３６０度の回転運動を可能とするように構成されても良い。更に、以上の実施例において、スリット１２９は、円筒形のコリメータユニットの閉じた端部に対称的に配置され、所定の方向の枢動が可能となるようにコリメータユニットの動きをガイドする。当該スリットはまた、コリメータユニットの動きの所望のガイドを提供するため、非対称的に配置されても良いし、又は例えば所定の湾曲したプロファイルを持っても良い。
【００３３】
基部ユニット１１０は典型的には、該装置に電源供給し該装置を制御するための電気的手段を有する。更に、該基部ユニットは典型的には、光源を冷却するための手段を有し、即ち自由対流、強制対流、液体冷却、電気冷却又はこれらの組み合わせを用いるいずれかの適切なヒートシンクが、基部ユニット１１０に接続されて配置される。
【００３４】
代替実施例においては、該発光装置は、１つ以上のコリメータユニット１３０の配置を制御する制御手段を有する。該制御手段は、コリメータユニットを動かすためのモータ、該モータを制御するための制御装置、及び任意にコリメータユニット１３０のリモート制御のための通信手段を有しても良い。
【００３５】
代替実施例においては、それぞれが別個の可動式のコリメータユニットを備えた、複数の光出射ユニット１２０を持つ共通の基部ユニットが配置されても良い。
【００３６】
ここで図１ｂを参照すると、発光装置１００の別の実施例が断面図で示されている。本実施例の基本構造は、以上の実施例の構造と同様である。しかしながら、ここでは光源１２１が光出射面１２５に配置されている。コリメータユニット１３０ｂは、一方の端部で略閉じられ、他方の端部で開いた、先端を切り取られた円錐のような形状とされる。該コリメータユニットの形状は、他の実施例においては、四角形、釣鐘状、三角形等（図示されていない）であっても良い。略放物面状のコリメータユニット１３０ｃを示す実施例が、図２乃至４に示されている。
【００３７】
光出射ユニット１２０は更に、光源固定具１４０を持つよう構成されても良い。該発光装置の実施例２００の光源固定具１４０ａが、図２ａ及び２ｂに示されている。光源固定具１４０ａは、該固定具が光出射部１２５を形成するように構成され、即ち該光源固定具は、コリメータユニット１３０ｃの内部に配置される光出射ユニット１２０の端部において配置される。光源固定具１４０ａは、１６個のレベル（rebel）発光ダイオード（ＬＥＤ）１２１の形をとる板状光源１２１が装着された円板として構成される。光源１２１は、該円板即ち光源固定具１４０ｃ上に対称的に配置される。該発光装置は典型的には平坦な天井に配置され、光出射ユニット１２０が垂直な線に並べられる。図２ａにおいては、垂直線に対するコリメータユニット１３０ｃの傾斜角（枢動角）は０度であり、図２ｂにおいては、垂直線に対するコリメータユニット１３０ｃの傾斜角は４５度（より大きくなり得る）である。本実施例におけるコリメータユニットは１０ｃｍの長さであり、６ｃｍの内径を持つ。
【００３８】
図６ａ乃至６ｂは、本実施例２００の光線追跡計算を示す。発光装置２００から１４０ｃｍの垂直距離における例えば床面のような平坦な面について、出射される光ビームのスポットが計算される。これらの計算から推測され得るように、図６ｂにおけるスポットについての即ち４５度の傾斜角についての最大輝度値は、４５度の傾斜角のため低い。該傾斜角は、該スポットに円形の断面を投射させる。更に、該傾斜角は、床面までの光ビームのための経路を１．４倍長くする。当該傾斜角についての長い経路及び床面までの距離は、図６ｂにおけるビームスポットの中心において理論的に２．８のファクタだけ低い輝度値をもたらす（光線追跡計算において近似的に得られる）。更に、図６ｂにおける光ビームスポットは、全ての最適な位置に配置されるわけではないＬＥＤの配置により引き起こされる、幾分かの非対称性を呈している。ＬＥＤの配置は、コリメータユニット１３０ｃの形状及び／又は該コリメータユニットの枢動の点を調節することにより最適化され得る。代替としては、ＬＥＤの位置は、次のセクションにおいて議論されるように調節されても良い。
【００３９】
図３ａ乃至３ｂに示された発光装置の実施例においては、光源固定具１４０ｂは球形であり、そのため光源１２１（ＬＥＤ）が回転対称に配置される。このことは実質的に、以上に議論されたビームスポットの非対称性を除去する（角度をもって表面に当たるビームにより引き起こされる非対称性は依然として存在し得る）。ＬＥＤはいずれの方向にも配置されるため、コリメータユニット１３０ｃの傾斜方向は、出射される光に対してあまり重要ではなくなる。
【００４０】
図４ａ乃至ｄは、種々の光源固定具を持つ発光装置の更に他の実施例を示す。図４ａは、２つの対向する側に配置されたＬＥＤを持つ円筒形の光源固定具１４０ｃを示し、図４ｂは、基部ユニット１１０（図示されていない）に向けて配置された円錐の基部と該円錐の表面を少なくとも部分的にカバーする光源１２１とを持つ、円錐型の光源固定具１４０ｄを示す。図４ｃは、直方体である光源固定具１４０ｅを示す。光源１２１は、該直方体の側面に配置される。図４ｄは、基部（図示されていない）に向けて配置された四角錐の基部を持つ、四角錐型を呈する光源固定具１４０ｆを示す。該四角錐の側面に、光源１２１が配置される。
【００４１】
発光装置の一実施例においては、光出射ユニットは、垂直軸のまわりに回転することを可能とされる。このことは、図４ａに示された実施例４００について有利である。光源固定具１４０ｃは、２つの垂直な側面に光源１２１を装着され、光源１２１は互いに反対である２つの主方向（図４ａにおいてはｘ軸に沿った左及び右）に光を発する。コリメータユニットは、図面のｙ軸に沿って傾斜することを可能とされる。基部ユニットはコリメータと共に、同じ割合で垂直軸（ｚ軸）に沿って回転することを可能とされる。斯くして、発光装置４００から出射される光ビームの形状は、どの回転が為されても基本的に変化しない。
【００４２】
発光装置の一実施例においては、該発光装置は更に、基部ユニットに配置された反射器（図示されていない）を有する。該反射器は、コリメータユニットに面する基部ユニット１１０の外面に反射材料を取り付けることにより、又は該装置におけるサブ部分として（例えば光出射ユニット１２０と基部ユニット１１０との間の境界面を囲むように配置された反射型放物面要素として）アセンブリに組み込まれることにより、配置されても良い。このことは、コリメータユニットの開口を通して迷光を反射させるために、また照明ランプ／照明器具の外観を改善させるために、有利である。
【００４３】
発光装置の一実施例においては、図５ａに示されるように、発光装置５００は、基部ユニット１１０、光出射ユニット１２０及びコリメータユニット１３０ｃを有する。光出射ユニット１２０は、基部ユニット１１０に光源１２１（ＬＥＤ）を持つように構成される。基部ユニット１１０は、ヒートシンクを有する。該ヒートシンクの近傍に光源を装着することは、該光源から該ヒートシンクへの熱伝導の効率が増大するため、有利である。光出射ユニット１２０は更に、発せられる光を受けるための、光源１２１に配置された第１の端部１２７を持つ光混合ロッド１２６を有する。光源１２１から発せられた光は、混合ロッド１２６を通って導光され、光混合ロッド１２６の第２の端部１２８を介して出射される。斯くして、該発光ロッドの第２の端部１２８は、光出射ユニット１２０の光出射部１２５を形成する。
【００４４】
光混合ロッド１２６の第２の端部１２８は、ここでは平坦である。他の形状も可能である。別の実施例においては、第２の端部１２８は、円錐形、四角錐形、切子面のある形に構成されても良い（図５を参照されたい）。
【００４５】
図５ｂにおける発光装置５００は、光混合ロッド１２６において切子面のある第２の端部を持つ。該出射部１２５は、該混合ロッドの延長線に対して径方向に光出射をもたらし、混合された光の略全てがコリメータユニット１３０ｄの内壁に当たることを確実にする。このことは、光混合ロッドの平坦な第２の端部を持つ発光装置の実施例に比べて、光出射照度を保ちつつコリメータユニット１３０の短い長さを可能とする。コリメータユニット１３０ｄの長さは、図５ａに示された実施例におけるコリメータユニット１３０ｃよりも短い。
【００４６】
代替実施例においては、該発光装置は、例えば天井又は壁のような面に埋め込まれるように構成される。更に、該装置の基部ユニットは、コリメータユニット（図示されていない）の調節の間、該面に平行な平面に沿って該コリメータユニットに対してシフトされるように構成される。代替としては、該基部ユニットは更に、垂直軸に沿ってシフトしても良い。該基部ユニットの位置のシフトは、該面に対するコリメータユニットの光出射領域のシフトを相殺するために為され、それにより光の方向の調節の間の光出射領域のシフトの全体の大きさが減少させられる（又は完全に相殺される）。光出射領域のシフトが減少させられるため、該面における埋め込み面積が減少させられ得る。光出射部に対する基部のシフトはまた、天井に対する光出射領域の位置を固定させつつ、出射される光の方向を変化させることを可能とするため、外部に配置された発光装置に有利である。
【００４７】
以上において、添付される請求項において定義される本発明による発光装置の実施例が説明された。これらは単に限定するものではない例としてみなされるべきである。当業者には理解されるように、本発明の範囲内で多くの変更及び代替実施例が可能である。
【００４８】
本願の目的のため、特に添付される請求項に関して、「有する（comprising）」なる語は他の要素又はステップを除外するものではなく、「１つの（a又はan）」なる語は複数を除外するものではないこと（それ自体当業者には明らかであろう）に留意されたい。
【図１ａ】
0005757883.tif 000002
【図１ｂ】
0005757883.tif 000003
【図２ａ】
0005757883.tif 000004
【図２ｂ】
0005757883.tif 000005
【図３ａ】
0005757883.tif 000006
【図３ｂ】
0005757883.tif 000007
【図４ａ】
0005757883.tif 000008
【図４ｂ】
0005757883.tif 000009
【図４ｃ】
0005757883.tif 000010
【図４ｄ】
0005757883.tif 000011
【図５ａ】
0005757883.tif 000012
【図５ｂ】
0005757883.tif 000013
【図６（ａ）】
0005757883.tif 000014
【図６（ｂ）】
0005757883.tif 000015